【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
プラスチック基材を被覆するための方法であって、
（Ａ）少なくとも１種の放射線硬化性ウレタン（メタ）アクリレート、
（Ｂ）ナノ粒子、
（Ｃ）反応性希釈剤、及び
任意で溶剤
を含有する透明な被覆剤を、前記プラスチック基材に適用する前記方法において、
前記被覆剤が、
（ｉ）成分（Ａ１）、（Ａ２）、（Ａ３）、（Ｂ）、（Ｃ１）、（Ｃ２）、及び（Ｃ３）の全質量に対して、前記ナノ粒子（Ｂ）を３０〜６０質量％、
（ｉｉ）塗膜形成成分（Ａ１）、（Ａ２）、（Ａ３）、（Ｃ１）、（Ｃ２）、及び（Ｃ３）の全質量に対して、アクリレート基及び／又はメタクリレート基を１分子当たり平均で３〜５個有する、１種以上のウレタン（メタ）アクリレート（Ａ１）を１５〜４０質量％、
（ｉｉｉ）塗膜形成成分（Ａ１）、（Ａ２）、（Ａ３）、（Ｃ１）、（Ｃ２）、及び（Ｃ３）の全質量に対して、アクリレート基及び／又はメタクリレート基を１分子当たり平均で５個超有する、１種以上のウレタン（メタ）アクリレート（Ａ２）を０〜１０質量％未満、
（ｉｖ）塗膜形成成分（Ａ１）、（Ａ２）、（Ａ３）、（Ｃ１）、（Ｃ２）、及び（Ｃ３）の全質量に対して、アクリレート基及び／又はメタクリレート基を１分子当たり平均で３個未満有する、１種以上のウレタン（メタ）アクリレート（Ａ３）を０〜１０質量％未満、
（ｖ）塗膜形成成分（Ａ１）、（Ａ２）、（Ａ３）、（Ｃ１）、（Ｃ２）、及び（Ｃ３）の全質量に対して、成分（Ａ１）、（Ａ２）、及び（Ａ３）とは異なる、１種以上のモノマー及び／又はオリゴマーの化合物（Ｃ１）を５５〜８０質量％、当該化合物は、アクリレート基及び／又はメタクリレート基を１分子当たり４個有するものであり、
（ｖｉ）塗膜形成成分（Ａ１）、（Ａ２）、（Ａ３）、（Ｃ１）、（Ｃ２）、及び（Ｃ３）の全質量に対して、成分（Ａ１）、（Ａ２）、及び（Ａ３）とは異なる、１種以上のモノマー及び／又はオリゴマーの化合物（Ｃ２）を０〜１５質量％、当該化合物は、アクリレート基及び／又はメタクリレート基を１分子当たり２個有するものであり、及び
（ｖｉｉ）塗膜形成成分（Ａ１）、（Ａ２）、（Ａ３）、（Ｃ１）、（Ｃ２）、及び（Ｃ３）の全質量に対して、成分（Ａ１）、（Ａ２）、及び（Ａ３）とは異なる、１種以上のモノマー及び／又はオリゴマーの化合物（Ｃ３）を０〜１５質量％、当該化合物は、アクリレート基及び／又はメタクリレート基を１分子当たり３個有するものである、
含有し、塗膜形成成分（Ａ１）、（Ａ２）、（Ａ３）、（Ｃ１）、（Ｃ２）、及び（Ｃ３）の質量部の合計が、その都度１００質量％である、前記方法。
【請求項２】
前記被覆剤を、ポリカーボネート、ポリカーボネートと他のプラスチックとのブレンド、及び／又はポリメチルメタクリレート（ＰＭＭＡ）に適用することを特徴とする、請求項１に記載の方法。
【請求項３】
前記被覆剤を、電子装置のジャケットに適用することを特徴とする、請求項１又は２に記載の方法。
【請求項４】
請求項１から３までのいずれか１項に記載の方法であって、前記被覆剤が、
（ｉ）前記成分（Ａ１）、（Ａ２）、（Ａ３）、（Ｂ）、（Ｃ１）、（Ｃ２）、及び（Ｃ３）の全質量に対して、前記ナノ粒子（Ｂ）を４０質量％超〜５０質量％、
（ｉｉ）塗膜形成成分（Ａ１）、（Ａ２）、（Ａ３）、（Ｃ１）、（Ｃ２）、及び（Ｃ３）の全質量に対して、アクリレート基及び／又はメタクリレート基を１分子当たり平均で３〜５個有する、１種以上のウレタン（メタ）アクリレート（Ａ１）を２０〜３０質量％、
（ｉｉｉ）塗膜形成成分（Ａ１）、（Ａ２）、（Ａ３）、（Ｃ１）、（Ｃ２）、及び（Ｃ３）の全質量に対して、アクリレート基及び／又はメタクリレート基を１分子当たり平均で５個超有する、１種以上のウレタン（メタ）アクリレート（Ａ２）を０〜５質量％、
（ｉｖ）塗膜形成成分（Ａ１）、（Ａ２）、（Ａ３）、（Ｃ１）、（Ｃ２）、及び（Ｃ３）の全質量に対して、アクリレート基及び／又はメタクリレート基を１分子当たり平均で３個未満有する、１種以上のウレタン（メタ）アクリレート（Ａ３）を０〜５質量％、
（ｖ）塗膜形成成分（Ａ１）、（Ａ２）、（Ａ３）、（Ｃ１）、（Ｃ２）、及び（Ｃ３）の全質量に対して、成分（Ａ１）、（Ａ２）、及び（Ａ３）とは異なる、１種以上のモノマー及び／又はオリゴマーの化合物（Ｃ１）を６５〜７７質量％、当該化合物は、アクリレート基及び／又はメタクリレート基を１分子当たり４個有するものであり、
（ｖｉ）塗膜形成成分（Ａ１）、（Ａ２）、（Ａ３）、（Ｃ１）、（Ｃ２）、及び（Ｃ３）の全質量に対して、成分（Ａ１）、（Ａ２）、及び（Ａ３）とは異なる、１種以上のモノマー及び／又はオリゴマーの化合物（Ｃ２）を３〜１０質量％、当該化合物は、アクリレート基及び／又はメタクリレート基を１分子当たり２個有するものであり、及び
（ｖｉｉ）塗膜形成成分（Ａ１）、（Ａ２）、（Ａ３）、（Ｃ１）、（Ｃ２）、及び（Ｃ３）の全質量に対して、成分（Ａ１）、（Ａ２）、及び（Ａ３）とは異なる、１種以上のモノマー及び／又はオリゴマーの化合物（Ｃ３）を０〜１０質量％、当該化合物は、アクリレート基及び／又はメタクリレート基を１分子当たり３個有するものであり、
含有し、塗膜形成成分（Ａ１）、（Ａ２）、（Ａ３）、（Ｃ１）、（Ｃ２）、及び（Ｃ３）の質量部の合計が、その都度１００質量％であることを特徴とする、前記方法。
【請求項５】
前記被覆剤が、成分（Ａ１）、（Ａ２）、（Ａ３）、（Ｂ）、（Ｃ１）、（Ｃ２）、及び（Ｃ３）の全質量に対して、光保護剤を６質量％未満含有することを特徴とする、請求項１から４までのいずれか１項に記載の方法。
【請求項６】
前記被覆剤が、成分（Ｃ１）として、ペンタエリトリトテトラアクリレート、及び／又はジトリメチロールプロパンテトラアクリレートを含有することを特徴とする、請求項１から５までのいずれか１項に記載の方法。
【請求項７】
前記被覆剤が、成分（Ｃ２）として、ヘキサンジオールジアクリレートを含有することを特徴とする、請求項１から６までのいずれか１項に記載の方法。
【請求項８】
前記被覆剤が成分（Ａ１）として、アクリレート基及び／又はメタクリレート基を１分子当たり平均で３〜４個有する１種以上のウレタン（メタ）アクリレート（Ａ１）を含有することを特徴とする、請求項１から７までのいずれか１項に記載の方法。
【請求項９】
前記被覆剤が成分（Ａ１）として、１種以上の脂肪族ウレタンアクリレート（Ａ１）を含有することを特徴とする、請求項１から８までのいずれか１項に記載の方法。
【請求項１０】
前記被覆剤が成分（Ａ１）として、ヘキサメチレンジイソシアネートのイソシアヌレートをベースとする１種以上の脂肪族ウレタンアクリレート（Ａ１）を含有することを特徴とする、請求項１から９までのいずれか１項に記載の方法。
【請求項１１】
前記被覆剤が成分（Ａ１）として、ヘキサメチレンジイソシアネートのイソシアヌレートをベースとする１種以上の脂肪族ウレタンアクリレート（Ａ１）を含有し、かつ反応性希釈剤（Ｃ）として、ペンタエリトリトテトラアクリレート（Ｃ１）と、ヘキサンジオールジアクリレート（Ｃ２）との混合物を含有することを特徴とする、請求項１から１０までのいずれか１項に記載の方法。
【請求項１２】
前記被覆剤を、プラスチック基材に直接適用することを特徴とする、請求項１から１１までのいずれか１項に記載の方法。
【請求項１３】
請求項１から１２までのいずれか１項に記載の方法によって得られる被覆されたプラスチック基材。
【請求項１４】
電子装置のジャケットである、請求項１３に記載の被覆されたプラスチック基材。
【請求項１５】
携帯電話筐体、スマートフォン、ｉＰｈｏｎｅ、電子オーガナイザー、ＭＰ３プレーヤー、ｉＰｏｄ、ラップトップ、コンピューター、デジタルカメラ、ビデオカメラ、ゲーム機、ゲームボーイである、請求項１４に記載の電子装置の被覆されたジャケット。